(57)【要約】【課題】調理時にレンジから発生する汚染空気を局所換気にて効率良く捕集するレンジフードを提供することを目的とする。【解決手段】下面に主吸込口１と天面または側面に排気口２を有したフード３の内部に、反対方向に開口した第１の吸込口４および第２の吸込口５を有した両吸込形送風機６の吐出口７がフード３の排気口２に連通し、第１の吸込口４がフード３の主吸込口１に主排気通風路８を形成して連通するとともに、フード３下面の端部近傍に形成した副吸込口９と第２の吸込口５とを連通する副排気通風路１０を主排気通風路８とは仕切って形成することで、調理時の汚染空気の大部分を主吸込口１で捕集し、主吸込口１で捕集しきれずフード３端部より漏れそうになる汚染空気をフード３下面の端部近傍に設けた副吸込口９で捕集することにより汚染空気の漏れを防止できるレンジフードが得られる。【選択図】図１
2007315725.tif 000002
【特許請求の範囲】
【請求項１】
下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード下面の端部近傍に副吸込口を形成し、この副吸込口と前記第２の吸込口とを連通する副排気通風路を前記主排気通風路とは仕切って形成したことを特徴とするレンジフード。
【請求項２】
フード下面の主吸込口より前方側に副吸込口を形成した請求項１記載のレンジフード。
【請求項３】
フード下面の主吸込口より後方側に副吸込口を形成した請求項１記載のレンジフード。
【請求項４】
フードを送風機の配設空間より後方に延設して後方フード部を形成し、この後方フード部の下面に副吸込口を形成した請求項３記載のレンジフード。
【請求項５】
第１の吸込口および第２の吸込口として、上面吸込口および下面吸込口を有した両吸込形送風機を備えた請求項１〜４のいずれかに記載のレンジフード。
【請求項６】
第１の吸込口および第２の吸込口として、第１の側面吸込口および第２の側面吸込口を有した両吸込形送風機を備えた請求項１〜４のいずれかに記載のレンジフード。
【請求項７】
フード下面の四周縁近傍の複数箇所に副吸込口を形成し、これらの副吸込口に副吸込口ダンパーを設け、前記フードの設置場所の状況に応じて前記複数の副吸込口から選択して副吸込口ダンパーを開く構成とした請求項１記載のレンジフード。
【請求項８】
主吸込口に主吸込口ダンパーを設け、この主吸込口ダンパーを調理時に開いて、主吸込口および副吸込口により調理時換気を行い、非調理時閉じて副吸込口により全体換気を行う構成とした請求項項１〜７のいずれかに記載のレンジフード。
【請求項９】
調理時換気と全体換気または停止として、フード前面に、信号を受信する受信部を設け、加熱調理器からの操作信号を受けて運転状態を切り替える構成とした請求項８記載のレンジフード。
【請求項１０】
調理時換気と全体換気または停止として、フード前面に、温度を検知する検知部を設け、加熱調理器の温度を検知して運転状態を切り替える構成とした請求項８記載のレンジフード。
【請求項１１】
調理時換気と全体換気または停止として、フード前面に、磁力を検知する検知部を設け、加熱調理器の磁力を検知して運転状態を切り替える構成とした請求項８記載のレンジフード。
【発明の詳細な説明】
【技術分野】
【０００１】
本発明は、調理時にレンジから上昇する油煙や臭い、排気ガスなどの汚染空気を効率的に捕集し排気するレンジフードに関する。
【背景技術】
【０００２】
従来、この種のレンジフードとしては、調理時に捕集しきれずに漏れて天井部に滞留する汚染空気を全体換気用吸い込み口にて排気するものが知られている（例えば、特許文献１参照）。
【０００３】
以下、そのレンジフードについて図４を参照しながら説明する。
【０００４】
図に示すように、主吸い込み口１０１と副吸い込み口１０２とを有する両面吸い込み遠心ファン１０３と、遠心ファン１０３を収容する箱型のケーシング１０４を備えている。ケーシング１０４の底壁１０５に局所換気用吸い込み口１０６が形成され、局所換気用吸い込み口１０６に近接して、ケーシング１０４の側壁１０７に全体換気用吸い込み口１０８を形成し構成している。
【特許文献１】特開平８−２４０３３３号公報（第４−５頁、第１図）
【発明の開示】
【発明が解決しようとする課題】
【０００５】
このような従来のレンジフードでは、局所換気で捕集できずに漏れて天井部に滞留した汚染空気を全体換気にて排気するため、室内に臭いが拡散したり、霧状の油煙等が部屋の壁や家具などに付着するため、室内環境が汚染されるという課題があり、捕集を改善し局所換気にて効率良く排気することが要求されている。
【０００６】
本発明は、このような従来の課題を解決するものであり、レンジからの汚染空気を局所換気にて効率良く捕集するレンジフードを提供することを目的としている。
【課題を解決するための手段】
【０００７】
本発明のレンジフードは上記目的を達成するために、下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード下面の端部近傍に副吸込口を形成し、この副吸込口と前記第２の吸込口とを連通する副排気通風路を前記主排気通風路とは仕切って形成したものである。
【０００８】
この手段により、レンジより上昇する汚染空気が多量に発生する位置あるいはフードからの汚染空気が漏れ易い位置に副吸込口を設けることで、調理時に発生する汚染空気の大部分を主吸込口で捕集し、主吸込口で捕集しきれずフード端部より漏れそうになる汚染空気をフード下面の端部近傍に設けた副吸込口で捕集することにより汚染空気の漏れを防止でき、捕集効率の良いレンジフードが得られる。
【０００９】
また、他の手段は、フード下面の主吸込口より前方側に副吸込口を形成したものである。
【００１０】
これにより、主吸込口で捕集しきれずフード前方より漏れそうになる汚染空気をフード下面前方に設けた副吸込口で捕集することにより汚染空気の漏れを防止でき、捕集効率の良いレンジフードが得られる。
【００１１】
また、他の手段は、フード下面の主吸込口より後方側に副吸込口を形成したものである。
【００１２】
これにより、主吸込口で捕集しきれずフード後方より漏れそうになる汚染空気をフード下面後方に設けた副吸込口で捕集することにより汚染空気の漏れを防止でき、捕集効率の良いレンジフードが得られる。
【００１３】
また、他の手段は、フードを送風機の配設空間より後方に延設して後方フード部を形成し、この後方フード部の下面に副吸込口を形成したものである。
【００１４】
これにより、オープンタイプのキッチンでフードが側壁に固定される場合などでも、汚染空気を局所的に効率良く捕集するレンジフードが得られる。
【００１５】
また、他の手段は、第１の吸込口および第２の吸込口として、上面吸込口および下面吸込口を有した両吸込形送風機を備えたものである。
【００１６】
これにより、浅形レンジフードなどのフード高さが低いレンジフードの場合でも、調理時に発生する汚染空気の大部分を主吸込口で捕集し、主吸込口で捕集しきれずフードより漏れそうになる汚染空気を副吸込口で捕集することにより汚染空気の漏れを防止でき、局所的に効率良く捕集するレンジフードが得られる。
【００１７】
また、他の手段は、第１の吸込口および第２の吸込口として、第１の側面吸込口および第２の側面吸込口を有した両吸込形送風機を備えたものである。
【００１８】
これにより、深形レンジフードあるいは送風機を備えたファンユニットがフード上面に設けられたオリジナルデザインのレンジフードの場合でも、調理時に発生する汚染空気の大部分を主吸込口で捕集し、主吸込口で捕集しきれずフードより漏れそうになった汚染空気を副吸込口で捕集することにより汚染空気の漏れを防止でき、局所的に効率良く捕集するレンジフードが得られる。
【００１９】
また、他の手段は、フード下面の四周縁近傍の複数箇所に副吸込口を形成し、これらの副吸込口に副吸込口ダンパーを設け、前記フードの設置場所の状況に応じて前記複数の副吸込口から選択して副吸込口ダンパーを開く構成としたものである。
【００２０】
これにより、キッチンのレイアウトに応じて専用設計のフードを準備することなく、レンジより上昇する汚染空気が多量に発生する位置またはフードからの汚染空気が漏れ易い位置に開閉できるダンパーを開いて副吸込口を設けることで、汚染空気を局所的に効率良く捕集するレンジフードが得られる。
【００２１】
また、他の手段は、主吸込口に主吸込口ダンパーを設け、この主吸込口ダンパーを調理時に開いて、主吸込口および副吸込口により調理時換気を行い、非調理時閉じて副吸込口により全体換気を行う構成としたものである。
【００２２】
これにより、埃の付着を一方の吸込口に限定し、油と埃の付着の混在した固着面積を減らすことで掃除性を改善すると共に、汚れ付着による主吸込口の性能低下を低減できることで捕集性能の低下を防止できるレンジフードが得られる。
【００２３】
また、他の手段は、調理時換気と全体換気または停止として、フード前面に、信号を受信する受信部を設け、加熱調理器からの操作信号を受けて運転状態を切り替える構成としたものである。
【００２４】
これにより、調理時の局所換気と調理後の全体換気および停止操作をすることなく、加熱調理器からの信号を受けることで自動運転を可能として、室内の汚染空気を効率的に排気することができるレンジフードが得られる。
【００２５】
また、他の手段は、調理時換気と全体換気または停止として、フード前面に、温度を検知する検知部を設け、加熱調理器の温度を検知して運転状態を切り替える構成としたものである。
【００２６】
これにより、調理時の局所換気と調理後の全体換気および停止操作をすることなく加熱調理器または鍋の温度を検知することで自動運転を可能として、室内の汚染空気を効率的に排気することができるレンジフードが得られる。
【００２７】
また、他の手段は、調理時換気と全体換気または停止として、フード前面に、磁力を検知する検知部を設け、加熱調理器の磁力を検知して運転状態を切り替える構成としたものである。
【００２８】
これにより、調理時の局所換気と調理後の全体換気および停止操作をすることなく加熱調理器の磁力を検知することで自動運転を可能として、室内の汚染空気を効率的に排気することができるレンジフードが得られる。
【発明の効果】
【００２９】
本発明によれば、レンジより上昇する汚染空気が多量に発生する位置あるいはフードからの汚染空気が漏れ易い位置に副吸込口を設けることで、調理時に発生する汚染空気の大部分を主吸込口で捕集し、主吸込口で捕集しきれずフード端部より漏れそうになる汚染空気をフード下面の端部近傍に設けた副吸込口で捕集することにより汚染空気の漏れを防止でき、捕集効率の良いレンジフードを提供できる。
【００３０】
また、主吸込口で捕集しきれずフード前方より漏れそうになる汚染空気をフード下面前方に設けた副吸込口で捕集することにより汚染空気の漏れを防止でき、捕集効率の良いレンジフードを提供できる。
【００３１】
また、主吸込口で捕集しきれずフード後方より漏れそうになる汚染空気をフード下面後方に設けた副吸込口で捕集することにより汚染空気の漏れを防止でき、捕集効率の良いレンジフードを提供できる。
【００３２】
また、オープンタイプのキッチンでフードが側壁に固定される場合などでも、汚染空気を局所的に効率良く捕集するレンジフードを提供できる。
【００３３】
また、深形レンジフードのように捕集した汚染空気を貯める空間のない浅形レンジフードなどのフード高さが低いレンジフードの場合でも、調理時に発生する汚染空気の大部分を主吸込口で捕集し、主吸込口で捕集しきれずフードより漏れそうになる汚染空気を副吸込口で捕集することにより汚染空気の漏れを防止でき、局所的に効率良く捕集するレンジフードを提供できる。
【００３４】
また、深形レンジフードあるいは送風機を備えたファンユニットがフード上面に設けられたオリジナルデザインのレンジフードの場合でも、調理時に発生する汚染空気の大部分を主吸込口で捕集し、主吸込口で捕集しきれずフードより漏れそうになる汚染空気を副吸込口で捕集することにより汚染空気の漏れを防止でき、局所的に効率良く捕集するレンジフードを提供できる。
【００３５】
また、キッチンのレイアウトに応じて専用設計のフードを準備することなく、レンジより上昇する汚染空気が多量に発生する位置あるいはフードからの汚染空気が漏れ易い位置に開閉できるダンパーを開いて副吸込口を設けることで、汚染空気を局所的に効率良く捕集するレンジフードを提供できる。
【００３６】
また、埃の付着を一方の吸込口に限定し、油と埃の付着の混在した固着面積を減らすことで掃除性を改善すると共に、汚れ付着による主吸込口の性能低下を低減できることで捕集性能の低下を防止できるレンジフードを提供できる。
【００３７】
また、調理時の局所換気と調理後の全体換気および停止操作をすることなく、加熱調理器からの信号を受けることで自動運転を可能として、室内の汚染空気を効率的に排気することができるレンジフードを提供できる。
【００３８】
また、調理時の局所換気と調理後の全体換気および停止操作をすることなく加熱調理器または鍋の温度を検知することで自動運転を可能として、室内の汚染空気を効率的に排気することができるレンジフードを提供できる。
【００３９】
また、調理時の局所換気と調理後の全体換気および停止操作をすることなく加熱調理器の磁力を検知することで自動運転を可能として、室内の汚染空気を効率的に排気することができるレンジフードを提供できる。
【発明を実施するための最良の形態】
【００４０】
本発明の請求項１記載のレンジフードは、下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード下面の端部近傍に副吸込口を形成し、この副吸込口と前記第２の吸込口とを連通する副排気通風路を前記主排気通風路とは仕切って形成したものであり、レンジより上昇する汚染空気が多量に発生する位置あるいはフードからの汚染空気が漏れ易い位置に副吸込口を設けることで、調理時に発生する汚染空気の大部分を主吸込口で捕集し、主吸込口で捕集しきれずフード端部より漏れそうになる汚染空気をフード下面の端部近傍に設けた副吸込口で捕集することにより汚染空気の漏れを防止できるという作用を有する。
【００４１】
また、請求項２記載のレンジフードは、フード下面の主吸込口より前方側に副吸込口を形成したものであり、フード前方で上昇気流が不安定となる場合や多量の汚染空気が発生する場合に主吸込口で捕集しきれずフード前方より漏れそうになる汚染空気をフード下面前方に設けた副吸込口で捕集することにより汚染空気の漏れを防止できるという作用を有する。
【００４２】
また、請求項３記載のレンジフードは、フード下面の主吸込口より後方側に副吸込口を形成したものであり、オープンタイプのキッチンなどでレンジとレンジフードの間に壁がなく、フード後方で上昇気流が不安定となる場合に主吸込口で捕集しきれずフード後方より漏れそうになる汚染空気をフード下面後方に設けた副吸込口で捕集することにより汚染空気の漏れを防止できるという作用を有する。
【００４３】
また、請求項４記載のレンジフードは、フードを送風機の配設空間より後方に延設して後方フード部を形成し、この後方フード部の下面に副吸込口を形成したものであり、オープンタイプのキッチンでフードが側壁に固定され、フード後方が開放空間となっている場合でも、フード後方のフードを大きくとることで、不安定な上昇気流を受け止め、汚染空気を副吸込口で捕集することにより、汚染空気を局所的に効率良く捕集できるという作用を有する。
【００４４】
また、請求項５記載のレンジフードは、第１の吸込口および第２の吸込口として、上面吸込口および下面吸込口を有した両吸込形送風機を備えたものであり、深形レンジフードのように捕集した汚染空気を貯める空間のない浅形レンジフードなどのフード高さが低いレンジフードの場合でも、調理時に発生する汚染空気の大部分を主吸込口で捕集し、主吸込口で捕集しきれずフードより漏れそうになる汚染空気を第２の吸込口に連通し、フード下面の端部近傍に設けられた副吸込口で捕集することにより汚染空気の漏れを防止でき、局所的に効率良く捕集できるという作用を有する。
【００４５】
また、請求項６記載のレンジフードは、第１の吸込口および第２の吸込口として、第１の側面吸込口および第２の側面吸込口を有した両吸込形送風機を備えたものであり、深形レンジフードあるいは送風機を備えたファンユニットがフード上面に設けられたオリジナルデザインのレンジフードの場合でも、調理時に発生する汚染空気の大部分を主吸込口で捕集し、主吸込口で捕集しきれずフードより漏れそうになる汚染空気を第２の吸込口に連通し、フード下面の端部近傍に設けられた副吸込口で捕集することにより汚染空気の漏れを防止でき、局所的に効率良く捕集するという作用を有する。
【００４６】
また、請求項７記載のレンジフードは、フード下面の四周縁近傍の複数箇所に副吸込口を形成し、これらの副吸込口に副吸込口ダンパーを設け、前記フードの設置場所の状況に応じて前記複数の副吸込口から選択して副吸込口ダンパーを開く構成としたものであり、キッチンのレイアウトに応じて専用設計のフードを準備することなく、レンジより上昇する汚染空気が多量に発生する位置、あるいはキッチンレイアウトの影響でレンジからの汚染空気の上昇気流が不安定となることでフードからの汚染空気が漏れ易い位置に開閉できるダンパーを開いて副吸込口を設けることで、汚染空気を局所的に効率良く捕集するという作用を有する。
【００４７】
また、請求項８記載のレンジフードは、主吸込口に主吸込口ダンパーを設け、この主吸込口ダンパーを調理時に開いて、主吸込口および副吸込口により調理時換気を行い、非調理時閉じて副吸込口により全体換気を行う構成としたものであり、捕集能力の必要な調理時換気は主吸込口と副吸込口の両方で換気を行い、埃が付着し易い全体換気では、副吸込口のみで換気を行うことで、埃の付着を一方の吸込口に限定し、油と埃の付着の混在した固着面積を減らすことで掃除性を改善すると共に、汚れ付着による主吸込口の性能低下を低減できることで捕集性能の低下を防止できるという作用を有する。
【００４８】
また、請求項９記載のレンジフードは、調理時換気と全体換気または停止として、フード前面に、信号を受信する受信部を設け、加熱調理器からの操作信号を受けて運転状態を切り替える構成としたものであり、加熱調理器からの信号を受けることで加熱調理器の操作に連動してレンジフードを調理時の局所換気と調理後の全体換気および停止に切り替えることができ、加熱調理器の運転に応じた室内の汚染空気の効率的な排気ができるという作用を有する。
【００４９】
また、請求項１０記載のレンジフードは、調理時換気と全体換気または停止として、フード前面に、温度を検知する検知部を設け、加熱調理器の温度を検知して運転状態を切り替える構成としたものであり、加熱調理器または鍋の温度を検知することで加熱調理器の運転状況に応じてレンジフードを調理時の局所換気と調理後の全体換気および停止に切り替えることができ、加熱調理器の運転に応じた室内の汚染空気の効率的な排気ができるという作用を有する。
【００５０】
また、請求項１１記載のレンジフードは、調理時換気と全体換気または停止として、フード前面に、磁力を検知する検知部を設け、加熱調理器の磁力を検知して運転状態を切り替える構成としたものであり、加熱調理器の磁力を検知することで加熱調理器の運転状況に応じてレンジフードを調理時の局所換気と調理後の全体換気および停止に切り替えることができ、加熱調理器の運転に応じた室内の汚染空気の効率的な排気ができるという作用を有する。
【００５１】
以下、本発明の実施の形態について図面を参照しながら説明する。
【００５２】
（実施の形態１）
図１に示すように、下面に主吸込口１と天面に排気口２を有したフード３と、フード３の内部に設けられ、互いに反対方向に開口した第１の吸込口４および第２の吸込口５として、上面吸込口および下面吸込口を有した両吸込形送風機６とを備え、両吸込形送風機６の吐出口７はフード３の排気口２に連通し、第１の吸込口４とフード３の主吸込口１に主排気通風路８を形成して連通するとともに、フード３下面の主吸込口１より前方側の端部近傍に副吸込口９を形成し、この副吸込口９とフード３の第２の吸込口５とを連通する副排気通風路１０を形成し、副排気通風路１０と主排気通風路８とは仕切って構成している。
【００５３】
上記構成において、レンジ（図示せず）から上昇する汚染空気の大部分を主吸込口１で捕集し、主吸込口１で捕集しきれずフード３前方より漏れそうになる汚染空気やフード３に到達する前にフード３から逸れようとする汚染空気をフード３下面の主吸込口１より前方に設けた副吸込口９で捕集することにより、フード３からの汚染空気の漏れを防止でき、局所的に効率良く捕集できる。
【００５４】
さらに両吸込形送風機６の第１の吸込口４と第２の吸込口５に連通する主吸込口１と副吸込口９は仕切られているので、羽根を変更することで両吸込形送風機６の第１の吸込口４と第２の吸込口５の吸込み風量が変更でき、フード３下面の主吸込口１と副吸込口９の開口比率やフード下面の吸込み形状を変更することなく、汚染空気の捕集効率を改善できる。
【００５５】
このように実施の形態１によれば、深形レンジフードのように捕集した汚染空気を貯める空間のない浅形レンジフードなどのフード３高さが低いレンジフードは、レンジより上昇する汚染空気が多量に発生したり、フード３前方で上昇気流が不安定となった場合でも、フード３下面前方に副吸込口９を設けたので、汚染空気の大部分を主吸込口１で捕集し、主吸込口１で捕集しきれずフード３前方より漏れそうになる汚染空気やフード３に到達する前にフード３から逸れようとする汚染空気をフード３下面の前方に設けた副吸込口９で捕集することになり、局所換気にてフード３からの汚染空気の漏れを防止できることとなる。
【００５６】
なお、主吸込口１には整流板やフィルターあるいはバッフル板が設けられ、副吸込口９にもフィルターあるいはバッフル板が設けられても、その作用効果に差異を生じない。
【００５７】
（実施の形態２）
図２に示すように、実施の形態１と異なるところは、フード３を両吸込形送風機６の配設空間より後方に延設した後方フード部１１を形成したフード３Ａにし、主吸込口１より後方となる後方フード部１１の下面に副吸込口９Ａを設けた点である。
【００５８】
図２において、図１と同じ構成要素については同じ符号を用いてその説明を省略する。
【００５９】
上記構成において、レンジ（図示せず）から上昇する汚染空気は、後方フード部１１で受け止め、副吸込口９Ａで捕集することにより、汚染空気を局所的に効率良く捕集でき、漏れを防止できる。
【００６０】
このように実施の形態２によれば、オープンタイプのキッチンなどでフード３Ａが側壁に固定され，レンジとレンジフードの間の後方に壁がなく、フード３Ａ後方が開放空間となり、フード３Ａ後方で上昇気流が不安定となる場合でも、主吸込口１で捕集しきれずフード３Ａ後方より漏れそうになる汚染空気をフード３Ａ後方に後方フード部１１を設けたので、不安定な上昇気流を受け止め、後方フード部１１の下面に設けた副吸込口９Ａで捕集することになり、汚染空気を局所的に効率良く捕集でき、フード３Ａからの汚染空気の漏れを防止できることとなる。
【００６１】
（実施の形態３）
図３に示すように、実施の形態１の第１の吸込口および第２の吸込口として、第１の側面吸込口１２および第２の側面吸込口１３を有した両吸込形送風機６Ｂを設け、フード３Ｂ下面の四周縁近傍の複数箇所に副吸込口９Ｂを形成し、これらの副吸込口９Ｂに副吸込口ダンパー１４を設け、フード３Ｂの設置場所の状況に応じて複数の副吸込口９Ｂから選択して副吸込口ダンパー１４を開く構成とし、調理時に開いて、主吸込口１Ｂおよび副吸込口９Ｂにより調理時換気を行い、非調理時には閉じて副吸込口９Ｂにより全体換気を行うよう主吸込口１Ｂに主吸込口ダンパー１５を設け、フード３Ｂ前面に設けられたスイッチ１６にレンジの操作信号を受信する受信部１７、コンロの温度や磁力を検知する温度検知部１８、磁力検知部１９を備えている。
【００６２】
上記構成において、レンジ（図示せず）から上昇する汚染空気の大部分を主吸込口１Ｂで捕集し、主吸込口１Ｂで捕集しきれずフード３Ｂより漏れそうになる位置に、副吸込口ダンパー１４を開いて副吸込口を設けることで汚染空気を局所的に効率良く捕集できる。
【００６３】
また、捕集能力の必要な調理時換気は主吸込口１Ｂと副吸込口９Ｂの両方で換気を行い、埃が付着し易い全体換気では、副吸込口９Ｂのみで換気を行うことで、埃の付着を一方の吸込口に限定し、油と埃の混在した固着面積を減らすことで掃除性を改善すると共に、汚れ付着による主吸込口１Ｂの性能低下を低減できることで捕集性能の低下を防止できる。
【００６４】
また、レンジの運転に応じてレンジフードの調理時換気と全体換気または停止の運転状態を切り替え、レンジフードを自動運転することで汚染空気の室内への拡散を防止することができる。
【００６５】
このように実施の形態３によれば、深形レンジフードあるいは送風機を備えたファンユニットがフード上面に設けられたオリジナルデザインのレンジフードの場合でも、調理時に発生する汚染空気の大部分を主吸込口１Ｂで捕集し、主吸込口１Ｂで捕集しきれずフード３Ｂより漏れそうになる汚染空気を第２の側面吸込口１３に連通し、フード３Ｂ下面の端部近傍に設けられた副吸込口９Ｂで捕集することにより汚染空気の漏れを防止できることとなる。
【００６６】
また、キッチンのレイアウトに応じて専用設計のフードを準備することなく、レンジより上昇する汚染空気が多量に発生する位置、あるいはキッチンレイアウトの影響でレンジからの汚染空気の上昇気流が不安定となることでフードからの汚染空気が漏れ易い位置に、副吸込口ダンパー１４を開いて副吸込口を設けることで、汚染空気の局所的な捕集効率を改善できることとなる。
【００６７】
また、捕集能力の必要な調理時換気は主吸込口１Ｂと副吸込口９Ｂの両方で換気を行い、埃が付着し易い全体換気では、副吸込口９Ｂのみで換気を行うことで、埃の付着を一方の吸込口に限定し、油と埃の混在した固着面積を減らすことで掃除性を改善すると共に、汚れ付着による主吸込口１Ｂの性能低下を低減できることで、捕集性能の低下を防止できることとなる。
【００６８】
また、レンジの運転に応じてレンジフードの調理時換気と全体換気または停止の運転状態を切り替え、自動運転を可能としたので、調理時には確実に局所換気し、調理後には全体換気した後、停止することで、汚染空気の室内への拡散を防止できることとなる。
【産業上の利用可能性】
【００６９】
局所換気にて汚染空気を捕集して集塵する集塵装置のフード部にも適用できる。
【図面の簡単な説明】
【００７０】
【図１】本発明の実施の形態１のレンジフードの側面構成図
【図２】本発明の実施の形態２のレンジフードの側面構成図
【図３】本発明の実施の形態３のレンジフードの側面構成図
【図４】従来のレンジフードの断面図
【符号の説明】
【００７１】
１      主吸込口
１Ｂ    主吸込口
２      排気口
３      フード
３Ａ    フード
３Ｂ    フード
４      第１の吸込口
５      第２の吸込口
６      両吸込形送風機
６Ｂ    両吸込形送風機
７      吐出口
８      主排気通風路
９      副吸込口
９Ａ    副吸込口
９Ｂ    副吸込口
１０    副排気通風路
１１    後方フード部
１２    第１の側面吸込口
１３    第２の側面吸込口
１４    副吸込口ダンパー
１５    主吸込口ダンパー
【図１】
2007315725.tif 000003
【図２】
2007315725.tif 000004
【図３】
2007315725.tif 000005
【図４】
2007315725.tif 000006